(57)【特許請求の範囲】
【請求項１】
縦方向と横方向とを有し、ソレノイド本体に対して進退可能なプランジャを有する電磁ソレノイドと、前記プランジャの進退に応じて移動するレバー受け部と、回転軸を中心として旋回可能であって、かつ、前記レバー受け部に係合されるラッチレバーとを備える施錠装置において、
前記電磁ソレノイドの少なくとも一部分を覆うケースとカバーとを備え、
前記電磁ソレノイド、前記レバー受け部、および前記回転軸が、前記縦方向において直線的に並んでいて、
前記電磁ソレノイドには、少なくとも前記縦方向と前記横方向を覆うフレームを配置してあり、
前記フレームと、前記ケースおよび前記カバーとには、互いに係合する第３係合凸部と第３係合凹部とを配置してあることを特徴とする施錠装置。
【請求項２】
前記レバー受け部と前記ラッチレバーとの間には、互いに係合する第１係合凸部と第１係合凹部とを配置してあり、
前記電磁ソレノイドの前記プランジャが進退する方向と、前記レバー受け部の移動方向と、前記第１係合凸部および前記第１係合凹部とが、前記縦方向において直線的に並んでいる請求項１に記載の施錠装置。
【請求項３】
前記施錠装置は、前記電磁ソレノイドと、前記レバー受け部と、前記ラッチレバーとを備える本体と、前記ラッチレバーに係合するストライカとを備え、
前記ラッチレバーは、前記回転軸から径外方向へ延びるレバー本体と、前記レバー本体の先端部分から前記回転軸の軸心周り方向へ延び、前記ストライカと係合する係合部分とを有し、
前記第１係合凸部と前記第１係合凹部とが、前記軸心周り方向において当接し、
前記ラッチレバーの前記係合部分と、前記ストライカとが係合した状態においては、前記電磁ソレノイドと、前記レバー受け部と、前記ラッチレバーの前記レバー本体と、前記ストライカとが、前記縦方向へ延びる直状域に配置される請求項２に記載の施錠装置。
【請求項４】
前記回転軸には、前記ラッチレバーの前記係合部分に、前記ストライカを案内するガイドレバーを旋回可能に配置してあり、
前記回転軸の前記軸心周り方向において、前記ラッチレバーの先端部分よりも前記ガイドレバーの先端部分が突出する請求項３に記載の施錠装置。
【請求項５】
前記ケースおよび前記カバーは、弾性材料で形成してあり、
前記ケースと前記カバーとの間には、互いに係合する第２係合凸部と第２係合凹部とを配置してある請求項１〜４のいずれかに記載の施錠装置。
【請求項６】
前記ケースおよび前記カバーは、前記縦方向および前記横方向に交差する厚さ方向を有し、前記厚さ方向における平面視において前記電磁ソレノイドと重なる位置に開口を配置してある請求項１〜５のいずれかに記載の施錠装置。
【発明の詳細な説明】
【技術分野】
【０００１】
本発明は、施錠装置に関する。
【背景技術】
【０００２】
従来、例えば、ロッカーに使用し、電磁ソレノイドに通電してプランジャを退行させてラッチレバーとストライカとの係合を解除させたときには、ロッカーの扉が開かれるのを許容する解錠状態となる一方、ソレノイドの通電を解除してプランジャを進出させてラッチレバーとストライカとを係合させたときには、ロッカーの扉が開かれるのを規制する施錠状態となる施錠装置は公知である。
【０００３】
従来の施錠装置９０は、例えば、図７に示すように、電磁ソレイド本体９１ａに対して進退可能なプランジャ９１ｂを有する電磁ソレノイド９１と、第１回転軸９２ｘを中心に旋回可能であって、かつ、プランジャ９１ｂの進退に応じて旋回する解除レバー９２と、第２回転軸９３ｘを中心に旋回可能であって、かつ解除レバー９２に係合するラッチレバー９３とを備える本体９４を有しているものがある。
【発明の概要】
【発明が解決しようとする課題】
【０００４】
しかしながら、上述した施錠装置９０では、電磁ソレノイド９１の駆動力は、第１回転軸９２ｘを中心に旋回可能な解除レバー９２の一端９２ａおよび他端９２ｂを介してラッチレバー９３に伝達されるため（第１回転軸９２ｘを中心に旋回可能である解除レバー９２を介して伝達されるため）、電磁ソレノイド９１の駆動力が無駄に消費される問題があった。
【０００５】
本発明が課題とするところは、電磁ソレノイドの駆動力が無駄に消費されるのを抑えることができる施錠装置を提供することにある。
【課題を解決するための手段】
【０００６】
前記課題を解決するための本発明が対象とするのは、縦方向と横方向とを有し、ソレノイド本体に対して進退可能なプランジャを有する電磁ソレノイドと、前記プランジャの進退に応じて移動するレバー受け部と、回転軸を中心として旋回可能であって、かつ、施錠状態において前記レバー受け部に係合されるラッチレバーとを備える施錠装置である。
【０００７】
この発明の特徴は、前記電磁ソレノイドの少なくとも一部分を覆うケースとカバーとを備え、前記電磁ソレノイド、前記レバー受け部、および前記回転軸が、前記縦方向において直線的に並んでいて、前記電磁ソレノイドには、少なくとも前記縦方向と前記横方向を覆うフレームを配置してあり、前記フレームと、前記ケースおよび前記カバーとには、互いに係合する第３係合凸部と第３係合凹部とを配置してあることである。
【発明の効果】
【０００８】
本発明に係る施錠装置によれば、電磁ソレノイド、レバー受け部、および回転軸が、縦方向において直線的に並んでいるため、電磁ソレノイドの駆動力が無駄に消費されるのを抑えることができる。
【図面の簡単な説明】
【０００９】
図面は、本発明の特定の実施の形態を示し、発明の不可欠な構成ばかりでなく、選択的及び好ましい実施の形態を含む。
【図１】本発明に係る施錠装置の本体の底面図。
【図２】施錠装置の本体の平面図。
【図３】施錠装置の本体をロッカー本体に取り付けた状態を示す斜視図。
【図４】施錠装置のストライカをロッカーの扉に取り付けた状態を示す斜視図。
【図５】ラッチレバーの係合部分とストライカとが係合した状態において、本体の内部を示す平面図。
【図６】ラッチレバーの係合部分とストライカとの係合が解除された状態において、本体の内部を示す平面図。
【図７】従来の施錠装置を示す平面図。
【発明を実施するための形態】
【００１０】
添付の図面を参照し、この発明に係る施錠装置の詳細を説明すると、以下のとおりである。また、以下の実施形態は、本発明の欠くことのできない要件を含む他に、選択的に採用することのできる要件及び適宜に組み合わせることのできる要件を含んでいる。
【００１１】
図１は、この発明に係る施錠装置１０の底面図であり、図２は、施錠装置１０の平面図である。図１および図２における双頭矢印Ｘ，Ｙ，Ｚは、施錠装置１０において、互いに交差（直交）する横方向Ｘと、縦方向Ｙと、厚さ方向Ｚとを示している。
【００１２】
施錠装置１０は、例えば、図３および図４に示すように、ロッカー本体２に対して扉３が、図４中に双頭矢印Ｂで示す前後方向へ移動することによって、ロッカー本体２の開口８を開閉可能なロッカー１に使用するものであって、ロッカー本体２に取り付ける本体２０と、扉３に取り付けるストライカ７０とを有している。より詳細に説明すると、本体２０は、図３に示すように、ロッカー本体２の横方向Ｘにおいて互いに対向する、一方の側板２ａと他方の側板２ｂとの間に位置する空間５に位置するように、側板２ａ，２ｂの間に位置する被取付板６にネジ９を介して取り付けてある。一方の側板２ａは、前後方向において、前方に位置する前方部分２ｃを有するとともに切欠４を有し、ロッカー本体２に対して扉３を開くことが規制された状態では、この切欠４に、図４に示すストライカ７０の係合部７２が位置することとなる。ストライカ７０は、扉３にネジ７９によって取り付けてある。ストライカ７０は、ネジ７９の先端を挿入するネジ孔を有するストライカ本体７１と、ラッチレバー５０の係合部分５４に係合する係合部７２とを有する。係合部７２は、軸７０ｘを中心に旋回可能にストライカ本体７１に取り付けてある。
【００１３】
本体２０は、図５に示すように、ソレノイド本体を構成するコイル３１に対して進退可能なプランジャ３３を有する電磁ソレノイド３０と、プランジャ３３の進退に応じて移動するレバー受け部４０と、ラッチレバー５０の回転軸５１と、オプションとしてのガイドレバー６０とを、ケース１１とカバー２１とによって画成される内部空間１９に備えている。換言すると、ケース１１とカバー２１によって、電磁ソレノイド３０の一部分と、レバー受け部４０とが覆われている。
【００１４】
ケース１１は、例えば、合成樹脂材料で形成してあって、図１に示すように、底部１２と、底部１２の周縁にそれぞれ位置して厚さ方向Ｚへ延びる第１側壁部１２ａと、第２側壁部１２ｂと、第３側壁部１２ｃと、第４側壁部１２ｄとを有している。第２側壁部１２ｂと第３側壁部１２ｃとは、横方向Ｘにおいて互いに対向している。第１側壁部１２ａと第４側壁部１２ｄとは、縦方向Ｙにおいて互いに対向している。第１側壁部１２ａと第２側壁部１２ｂと第３側壁部１２ｃとは、底部１２に対する厚さ方向Ｚへの突出寸法が同一である一方、第４側壁部１２ｄの底部１２に対する厚さ方向Ｚへの突出寸法は、第１側壁部１２ａ、第２側壁部１２ｂ、および第３側壁部１２ｃの底部１２に対する厚さ方向Ｚへの突出寸法よりも小さい。
【００１５】
ケース１１の第１側壁部１２ａは、第２側壁部１２ｂの横方向Ｘにおける一方の端部１４ａと、第３側壁部１２ｃの横方向Ｘにおける端部１４ｂとを連結する部分である。第２側壁部１２ｂおよび第３側壁部１２ｃは、内部空間１９の反対側に位置する外部に、外方へ向けて突出する第２係合凸部１３を有している（図５参照）。第４側壁部１２ｄは、第２側壁部１２ｂの横方向Ｘにおける他方の端部１４ｃと、第３側壁部１２ｃの横方向Ｘにおける他方の端部１４ｄとを連結する部分である。また、ケース１１は、第２側壁部１２ｂと第４側壁部１２ｄとの間に、旋回するラッチレバー５０に当接してラッチレバー５０の旋回を規制する旋回規制部１５を有している（図５参照）。さらに、ケース１１は、本体２０を被取付板６に取り付けるためのネジ孔１６を有している。また、ケース１１の底部１２は、開口１７を有するとともに、開口１７の周縁から開口１７へ向けて突出する第３係合凸部１７ｂを有している。
【００１６】
カバー２１は、例えば、合成樹脂材料で形成してあって、図２に示すように、天部２２と、天部２２の周縁にそれぞれ位置して厚さ方向Ｚへそれぞれ延びる第１側壁部２２ａと、第２側壁部２２ｂと、第３側壁部２２ｃと、第４側壁部２２ｄとを有している。第２側壁部２２ｂと第３側壁部２２ｃとは、横方向Ｘにおいて互いに対向している。第１側壁部２２ａと第４側壁部２２ｄとは、縦方向Ｙにおいて互いに対向している。第１側壁部２２ａと第２側壁部２２ｂと第３側壁部２２ｃとは、天部２２に対する厚さ方向Ｚへの突出寸法が同一である一方、第４側壁部２２ｄの天部２２に対する厚さ方向Ｚへの突出寸法は、第１側壁部２２ａ、第２側壁部２２ｂ、および第３側壁部２２ｃの底部１２に対する厚さ方向Ｚへの突出寸法よりも小さい。加えて、ケース１１において、第４側壁部１２ｄの底部１２に対する厚さ方向Ｚへの突出寸法は、第１側壁部１２ａ、第２側壁部１２ｂ、および第３側壁部１２ｃの底部１２に対する厚さ方向Ｚへの突出寸法よりも小さいため、本体２０の縦方向Ｙの他方の端部には、ラッチレバー５０の係合部分５４とガイドレバー６０の第２部分６２とが現れる開口２９が形成される（図１および図２参照）。
【００１７】
カバー２１の第１側壁部２２ａは、第２側壁部２２ｂの横方向Ｘにおける一方の端部２４ａと、第３側壁部２２ｃの横方向Ｘにおける端部２４ｂとを連結する部分である。第２側壁部２２ｂおよび第３側壁部２２ｃは、内部空間１９と外部とを連結する孔である第２係合凹部２３を有している。第４側壁部２２ｄは、第２側壁部２２ｂの横方向Ｘにおける他方の端部２４ｃと、第３側壁部２２ｃの横方向Ｘにおける他方の端部２４ｄとを連結する部分である。また、カバー２１は、本体２０を被取付板６に取り付けるためのネジ孔２６を有している。さらに、カバー２１の天部２２は、開口２７を有するとともに、開口２７の周縁から開口２７へ向けて突出する第３係合凸部２７ｂを有している。
【００１８】
ケース１１とカバー２１とを組み立てるときには、ケース１１の第１側壁部１２ａと、カバー２１の第１側壁部２２ａとが対向し、ケース１１の第２側壁部１２ｂと、カバー２１の第２側壁部２２ｂとが対向し、ケース１１の第３側壁部１２ｃと、カバー２１の第３側壁部２２ｃとが対向するように、ケース１１の第２係合凸部１３と、カバー２１の第２係合凹部２３とを互いに係合させる。この例では、ケース１１の第１側壁部１２ａと第２側壁部１２ｂと第３側壁部１２ｃが、内部空間１９に位置する内方に位置する一方、カバー２１の第１側壁部２２ａと第２側壁部２２ｂと第３側壁部２２ｃが外方に位置する。この施錠装置１０によれば、ケース１１およびカバー２１は、弾性材料で形成してあって、ケース１１とカバー２１との間には、互いに係合する第２係合凸部１３と第２係合凹部２３とを配置してあるため、ドライバー等の工具を必要とすることなしに、ケース１１とカバー２１とを組み立てることができる。
【００１９】
電磁ソレノイド３０は、図５に示すように、自身の長手方向と、縦方向Ｙとが一致するように配置してあり、導線を巻くことによって形成されたコイル３１と、コイル３１の内部に位置する不図示の固定鉄芯と、コイル３１の縦方向Ｙと横方向Ｘとを覆うフレーム３２と、コイル３１に電圧を印加することによって磁界が発生したとき、固定鉄芯に引き寄せられることによって退行するプランジャ３３と、固定鉄芯に対してプランジャ３３の先端が突出するようにプランジャ３３を付勢する不図示の付勢部材（コイルバネ）とを有している。コイル３１を形成する導線の一端および他端は、電源３９に接続してあり、電圧を印加することが可能である。また、プランジャ３３が進退する方向は、縦方向Ｙとなるように電磁ソレノイド３０を配置してある。
【００２０】
フレーム３２は、図１に示すように、厚さ方向Ｚにおけるケース１１の底部１２に近接する側に、第３係合凹部３２ａを配置してあるとともに、図２に示すように、厚さ方向Ｚにおけるカバー２１の天部２２に近接する側に、第３係合凹部３２ｂを配置してある。しかも、第３係合凹部３２ｂは、図５に示すように、縦方向Ｙにおいて、ケース１１の第２側壁部１２ｂが有する第３係合凹部１８ａに隣接するように配置してあるとともに、ケース１１が有する中央壁１８が有する第３係合凹部１８ｂに隣接するように配置してある。第３係合凹部３２ａと、ケース１１の底部１２の第３係合凸部１７ｂとが係合することによって、ケース１１に対して電磁ソレノイド３０が取り付けられ、第３係合凹部３２ｂおよび第３係合凹部１８ａ，１８ｂと、カバー２１の天部２２の第３係合凸部２７ｂとが係合することによって、カバー２１に対して電磁ソレノイド３０とケース１１とが取り付けられる。
【００２１】
フレーム３２と、ケース１１およびカバー２１とには、互いに係合する第３係合凸部１７ｂ，２７ｂと第３係合凹部１８ａ，１８ｂ，３２ａとを配置してあるため、ドライバー等の工具を必要とすることなしに、ケース１１およびカバー２１にフレーム３２を取り付けることができる。
【００２２】
レバー受け部４０は、図５に示すように、ケース１１の縦方向Ｙへ延びる中央壁１８と、ケース１１の縦方向Ｙへ延びる第２側壁部１２ｂとの間に配置してあって、縦方向Ｙへスライド移動が可能なようにケース１１に配置してある。レバー受け部４０は、縦方向Ｙにおいて、一方の端部４０ａが不図示のピンによってプランジャ３３に取り付けてある一方、他方の端部４０ｂには、第１係合凸部４１を配置してある。レバー受け部４０の一方の端部４０ａと、プランジャ３３との間には、電磁ソレノイド３０からレバー受け部４０が離れるようにレバー受け部４０を付勢する付勢部材（コイルバネ）４２を配置してある。
【００２３】
ラッチレバー５０は、回転軸５１を中心として旋回可能な態様でケース１１およびカバー２１に取り付けてある。ラッチレバー５０は、回転軸５１の径外方向へ延びるレバー本体５２を有している。レバー本体５２は、一方の端部５２ａと、他方の端部５２ｂとを有している。
【００２４】
レバー本体５２は、一方の端部５２ａ側に、レバー受け部４０の第１係合凸部４１に係合する第１係合凹部５３を有している。第１係合凸部４１および第１係合凹部５３は、回転軸５１の軸心周り方向において、互いに当接する壁部４１ａ，５３ａを有している。
【００２５】
レバー本体５２は、他方の端部５２ｂ側にストライカ７０の係合部７２と係合する係合部分５４を有している。係合部分５４は、他方の端部５２ｂ側から回転軸５１の軸心周り方向へ延びる第１部分５４ａと、回転軸５１と他方の端部５２ｂとの中間位置から、回転軸５１の軸心周り方向へ延びる第２部分５４ｂと、レバー本体５２の一部分５４ｃとによって平面視がコ字状に形成され、これら第１部分５４ａと第２部分５４ｂと一部分５４ｃとによって囲まれた空間に、ストライカ７０の係合部７２が位置することによって、ラッチレバー５０の係合部分５４とストライカ７０の係合部７２とが係合する。
【００２６】
第２部分５４ｂの先端部分は、ラッチレバー５０の係合部分５４と、ストライカ７０の係合部７２とが係合したとき、マイクロスイッチ５９の検出片５９ａに当接する当接部分５５を有している。
【００２７】
ラッチレバー５０は、第２部分５４ｂと回転軸５１との間において、ガイドレバー６０が、ラッチレバー５０を超えて、回転軸５１の軸心周りに旋回することを規制する規制部分５６を有している。
【００２８】
ガイドレバー６０は、図６に示すように、回転軸５１に対して旋回可能に配置してあって、回転軸５１の軸心から径外方向へ延びる第１部分６１と、第１部分６１に対して傾斜する態様で延びる第２部分６２とを有している。ガイドレバー６０における第１部分６１の基端から第２部分６２の先端までの長さ寸法Ｌ２は、ラッチレバー５０における第１部分５４ａの基端から先端までの長さ寸法Ｌ１よりも長く、回転軸５１の軸心周り方向において、ラッチレバー５０の第１部分５４ａの先端部分よりもガイドレバー６０の第２部分の先端部分が突出している。
【００２９】
回転軸５１の軸心周り方向において、ラッチレバー５０の先端部分よりもガイドレバー６０の先端部分が突出するため、ロッカー本体２に対する施錠装置１０の本体２０の取付位置、および扉３に対するストライカ７０の取付位置が多少ずれたとしても、ラッチレバー５０とストライカ７０とを係合させることができる。
【００３０】
本体２０の内部空間１９には、図５に示すように、ラッチレバー５０の係合部分５４と、ストライカ７０の係合部７２とが係合した状態から、図６に示すように、ラッチレバー５０の係合部分５４と、ストライカ７０の係合部７２との係合を解除し、ラッチレバー５０がケース１１の旋回規制部１５に当接した状態へ、ラッチレバー５０を付勢する付勢部材（コイルバネ）６９を配置してある。
【００３１】
この施錠装置１０では、図６に示すように、電磁ソレノイド３０に通電してプランジャ３３を退行させて、付勢部材６９の付勢力によって、ラッチレバー５０をケース１１の旋回規制部１５に当接させ、ラッチレバー５０の係合部分５４と、ストライカ７０の係合部７２との係合が解除されたときには、ロッカー１の扉３が開かれるのが許容される解錠状態となる。一方、電磁ソレノイド３０の通電を解除すると、付勢部材４２の付勢力によって、プランジャ３３は、レバー受け部４０が電磁ソレノイド３０から離れるように付勢される。この状態において、ロッカー本体２に対して扉３が閉められ、ストライカ７０の係合部７２がガイドレバー６０の第２部分６２に当たると、ガイドレバー６０とラッチレバー５０とが回転軸５１を中心に旋回し、図５に示すように、プランジャ３３は、付勢部材４２の付勢力によって、レバー受け部４０が電磁ソレノイド３０から離れるように付勢され、第１係合凹部５３と第１係合凸部４１とが係合し、ラッチレバー５０の係合部分５４とストライカ７０の係合部７２とが係合する。この状態では、扉３がロッカー本体２に対して開くことが規制される（施錠状態）。その後、電磁ソレノイド３０に通電すれば、上記と同様に作動し、ロッカー１の扉３が開かれるのが許容される解錠状態となる。
【００３２】
また、この施錠装置１０では、図５に示すように、電磁ソレノイド３０、レバー受け部４０、および回転軸５１が、縦方向Ｙにおいて直線的に並んでいる。このため、電磁ソレノイド３０の駆動力が無駄に消費されるのを抑えることができる。
【００３３】
加えて、電磁ソレノイド３０のプランジャ３３が進退する方向と、レバー受け部４０の移動方向と、第１係合凸部４１および第１係合凹部５３とが縦方向Ｙにおいて直線的に並んでいる。このため、電磁ソレノイド３０の駆動力が減少するのを確実に抑えることができる。
【００３４】
ラッチレバー５０の係合部分５４と、ストライカ７０の係合部７２とが係合した状態においては、電磁ソレノイド３０と、レバー受け部４０と、ラッチレバー５０のレバー本体５２と、ストライカ７０とが、縦方向Ｙへ延びる直状域６８に配置され（図５参照）、第１係合凸部４１と第１係合凹部５３とが、回転軸５１の軸心回り方向において当接する。これにより、縦方向Ｙにおいてストライカ７０に引っ張る力（図５中、矢印Ｆで示す方向に加えられる力）が加えられても、加えられると力の方向と、第１係合凸部４１と第１係合凹部５３との係合を解除する力の方向とが交差するため、電磁ソレノイド３０の駆動力をさらに小さくすることができる。このため、この施錠装置１０を、女子トイレの内部に設置される個人用の荷物入れに使用した場合、荷物を荷物入れに多量に入れることによって、前方へ開くように扉に力が加えられた状態であっても、施錠装置１０を解錠状態とするために大きな電磁ソレノイド３０の駆動力を必要としない。
【００３５】
また、ケース１１およびカバー２１には、厚さ方向Ｚにおける平面視において電磁ソレノイド３０と重なる位置に開口１７，２７を配置してある。このため、通電と、通電の解除とを繰り返すことによって電磁ソレノイド３０が発熱しても、電磁ソレノイド３０の発熱を開口１７，２７から逃がすことができる。
【００３６】
さらに、この施錠装置１０に本体２０は、横方向Ｘの寸法よりも縦方向Ｙの寸法が大きく、縦長形状であるため、奥行き寸法が大きいロッカーに好適である。
【００３７】
なお、上記した施錠装置１０では、ロッカー本体２に、施錠装置１０の本体２０を取り付ける一方、扉３にストライカ７０を取り付けるもので説明した。しかし、この発明は、ロッカー本体２にストライカ７０を取り付ける一方、扉３に施錠装置１０の本体２０を取り付けてもよい。
【００３８】
また、上記の説明においては、施錠装置１０をロッカーに使用する例を説明したが、この発明はそれに限られず、固定体と、その固定体に対して移動する移動体とを備える物に施錠装置１０を使用することができる。
【００３９】
さらに、上記の説明においては、ケース１１に第２係合凸部１３を配置する一方、カバー２１に第２係合凹部２３を配置するもので説明したが、この発明はそれに限られず、ケース１１に第２係合凹部を配置する一方、カバー２１に第２係合凸部を配置してもよい。
【００４０】
また、上記の説明においては、ラッチレバー５０に第１係合凹部５３を配置する一方、レバー受け部４０に第１係合凸部を配置する例を説明したが、この発明はそれに限られず、ラッチレバー５０に第１係合凹部を配置する一方、レバー受け部４０に第１係合凸部を設けてもよい。
【００４１】
施錠装置１０を構成する部材には、特に明記されていない限りにおいて、本明細書に記載されている材料のほかに、この種の分野において通常用いられている公知の材料を制限なく用いることができる。また、本明細書において使用されている「第１」、「第２」および「第３」等の用語は、同様の要素、位置等を単に区別するために用いてある。
【００４２】
これまでに説明した本発明は、少なくとも以下のように整理することができる。縦方向と横方向とを有し、ソレノイド本体に対して進退可能なプランジャを有する電磁ソレノイドと、前記プランジャの進退に応じて移動するレバー受け部と、回転軸を中心として旋回可能であって、かつ、前記レバー受け部に係合されるラッチレバーとを備える施錠装置において、前記電磁ソレノイドの少なくとも一部分を覆うケースとカバーとを備え、前記電磁ソレノイド、前記レバー受け部、および前記回転軸が、前記縦方向において直線的に並んでいて、前記電磁ソレノイドには、少なくとも前記縦方向と前記横方向を覆うフレームを配置してあり、前記フレームと、前記ケースおよび前記カバーとには、互いに係合する第３係合凸部と第３係合凹部とを配置してあることを特徴とする。
【００４３】
また、本発明には、少なくとも以下の実施態様がある。
（１）前記レバー受け部と前記ラッチレバーとの間には、互いに係合する第１係合凸部と第１係合凹部とを配置してあり、前記電磁ソレノイドの前記プランジャが進退する方向と、前記レバー受け部の移動方向と、前記第１係合凸部および前記第１係合凹部とが、前記縦方向において直線的に並んでいる。
（２）前記施錠装置は、前記電磁ソレノイドと、前記レバー受け部と、前記ラッチレバーとを備える本体と、前記ラッチレバーに係合するストライカとを備え、前記ラッチレバーは、前記回転軸から径外方向へ延びるレバー本体と、前記レバー本体の先端部分から前記回転軸の軸心周り方向へ延び、前記ストライカと係合する係合部分とを有し、前記第１係合凸部と前記第１係合凹部とが、前記軸心周り方向において当接し、前記ラッチレバーの前記係合部分と、前記ストライカとが係合した状態においては、前記電磁ソレノイドと、前記レバー受け部と、前記ラッチレバーの前記レバー本体と、前記ストライカとが、前記縦方向へ延びる直状域に配置される。
（３）前記回転軸には、前記ラッチレバーの前記係合部分に、前記ストライカを案内するガイドレバーを旋回可能に配置してあり、前記回転軸の前記軸心周り方向において、前記ラッチレバーの先端部分よりも前記ガイドレバーの先端部分が突出する。
（４）前記ケースおよび前記カバーは、弾性材料で形成してあり、前記ケースと前記カバーとの間には、互いに係合する第２係合凸部と第２係合凹部とを配置してある。
（５）前記ケースおよび前記カバーは、前記縦方向および前記横方向に交差する厚さ方向を有し、前記厚さ方向における平面視において前記電磁ソレノイドと重なる位置に開口を配置してある。
【符号の説明】
【００４４】
１０    施錠装置
１１    ケース
１３    第２係合凸部
１７    開口
１９    内部空間
２０    本体
２１    カバー
２３    第２係合凹部
２７    開口
２７ｂ  第３係合凸部
３０    電磁ソレノイド
３２    フレーム
３２ａ  第３係合凹部
３２ｂ  第３係合凹部
３３    プランジャ
４０    レバー受け部
４１    第１係合凸部
５０    ラッチレバー
５２    レバー本体
５３    第１係合凹部
５４    係合部分
６０    ガイドレバー
６８    直状域
７０    ストライカ
Ｘ      横方向
Ｙ      縦方向
Ｚ      厚さ方向
【図１】
0006511014.tif 000002
【図２】
0006511014.tif 000003
【図３】
0006511014.tif 000004
【図４】
0006511014.tif 000005
【図５】
0006511014.tif 000006
【図６】
0006511014.tif 000007
【図７】
0006511014.tif 000008